(57)【要約】 【課題】  本発明は、先付け構造用の雪止め具を屋根面に取付け設置することを目的とする。 【解決手段】  上端部が内方向にやや曲折した曲折部２を有する正垂直部１とこの正垂直部につづく底辺面部３を内方向に斜設し、前記底辺面部の下辺部５においては垂直に曲折した垂直部６を設け、この垂直部の上辺部７から後方向に水平面部８を隆起形成し、この水平面部の他上辺部９からは下方向に緩く曲折した傾斜垂直部１０の下辺部１１から水平に底辺面部１２を形成し、この底辺面部には複数の通孔１３を設けて成るものである。【選択図】    図１
2020176430.tif 000002
【特許請求の範囲】
【請求項１】
上端部が内方向にやや曲折した曲折部を有する正垂直部とこの正垂直部につづく底辺面部を内方向に斜設し、前記底辺面部の下辺部においては垂直に曲折した垂直部を設け、この垂直部の上辺部から後方向に水平面部を隆起形成し、この水平面部の他上辺部からは下方向に緩く曲折した傾斜垂直部の下辺部から水平に底辺面部を形成し、この底辺面部には複数の通孔を設けて成るものであり、屋根構造の野地板上に施工した屋根板の曲折下端部の一部に前記雪止め具の垂直部の底辺面部の下辺部を接点とするとともに前記水平面部の他上辺部から下方向への傾斜垂直部の下辺部から水平に形成した底辺面部を野地板の一部に螺子にて固定することを特徴とする屋根用雪止め具。
【発明の詳細な説明】
【技術分野】
【０００１】
本発明は、大屋根において設置する雪止め具に関するもので、屋根の施工時に取付けるための先付け用の雪止め具に関するものである。
【背景技術】
【０００２】
近年、自然石粒鋼板によって施工されている屋根にあっては、所定の雪止め具を屋根表面部における凹凸や段差に関係なく先付けで取り付けるときには、取付箇所から浸入しようとする雨水の浸入防止に留意した構造のものを提供しなければならないところ、公知技術としては次のような部材が存在しているのである。
【先行技術文献】
【特許文献】
【０００３】
【特許文献１】登録実用新案第３０５４９６３号公報（平成１０年６月１５日出願）
【特許文献２】特開２０００−２６５６２７号公報（平成１１年３月１６日出願）
【特許文献３】特開２００９−１１４８１２号公報（平成１９年１１月９日出願）
【０００４】
このうち特許文献１の考案は、垂直羽根部と水平板部から成る雪止め具の水平板部の適所に凹溝線部を構成した部材であることにより水平板部分の強度が増大するから、積雪の加圧力による当該部分の盛り上がりを防止することができるし、また水平板部分は屋根材面に密着せず間隙部を保持していることから、融雪水の外部流出を促進することができるようになる。
【０００５】
また特許文献２の発明は、基板に補強リブ条を設けることにより、前記特許文献１と同様の効果を発揮することができる。
【０００６】
さらに特許文献３の発明も、帯板にリブ条を設けることにより、前記特許文献１と同様の効果を発揮しようとしているものである。
【０００７】
これら特許文献２，特許文献３のいずれの雪止め具も、特許文献１の考案を基本構造としている先付け構造についてのものである。
【発明の概要】
【発明が解決しようとする課題】
【０００８】
そこで、本発明にあっては、先行考案の実用新案権者である本件出願人（商号変更）において、さらに改良した先付け構造用の雪止め具を屋根面において取付け設置するために提供することを目的とするものである。
【課題を解決するための手段】
【０００９】
本発明は、上端部が内方向にやや曲折した曲折部を有する正垂直部とこの正垂直部につづく底辺面部を内方向に斜設し、前記底辺面部の下辺部においては垂直に曲折した垂直部を設け、この垂直部の上辺部から後方向に水平面部を隆起形成し、この水平面部の他上辺部からは下方向に緩く曲折した傾斜垂直部の下辺部から水平に底辺面部を形成し、この底辺面部には複数の通孔を設けて成るものであり、屋根構造の野地板上に施工した屋根板の曲折下端部の一部に前記雪止め具の垂直部の底辺面部の下辺部を接点とするとともに前記水平面部の他上辺部から下方向への傾斜垂直部の下辺部から水平に形成した底辺面部を野地板の一部に螺子にて固定するものである。
【発明の効果】
【００１０】
本発明によれば、屋根全面に所定の屋根材を葺きながら雪止め具を適所に取付け設置することを可能にした方法を採るから、屋根面の段差を特に気にしながら施工することはなく、作業員は屋根面の態様を目視しながら取付け作業をすることができ、施工した雪止め具の上面部には次の屋根材を重ね合わせるようにして順次作業を進行することができるから、作業効率が向上することになる。
【００１１】
また、正垂直部につづく底辺面部には複数の通口を設けているから、具材内部に溜まろうとする雨水や屋根材との密着によって起こる毛細管現象による雨水の滞留をこの通口によって必然的に排出することができるようになるのである。
【図面の簡単な説明】
【００１２】
【図１】本具の斜視図
【図２】本具の側面図
【図３】本具の正面図
【図４】屋根面への施工状態を示す斜面図
【図５】屋根面における他の重合屋根材の施工状態を示す側面図
【図６】本具の先付け状態を示した屋根面の斜視図
【発明を実施するための形態】
【００１３】
本発明にあっては、雪止め具の正垂直部の底辺面部の下辺部を屋根材の一部に接地し、この下辺部から曲折した垂直部の上辺部から後方向に形成した水平面部の他上辺部から下方向への傾斜垂直部の下辺部から水平に形成した底辺面部を、屋根部材の野地板に螺子にて固定して設置するものである。
【００１４】
所定の屋根面への本雪止め具の取付け施工は、以上の方法によって、適当間隔をおいて作業員は目視して行えばよいが、雪止め具の取付位置については予め決めておくことになる。
【実施例】
【００１５】
本発明にあっては、例えば自然石粒付鋼板と呼ばれる屋根材ａへの取付け施工を目的とする雪止め具であり、本発明に係る先付け雪止め具は、作業員が屋根全体を葺きながら施工する際に取付け設置するものである。
【００１６】
本雪止め具の形状は、上端部が内方向にやや曲折した曲折部２を有する正垂直部１と、この正垂直部につづく底辺面部３を内方向に斜設し、前記底辺面部の下辺部５においては垂直に曲折した垂直部６を形成し、この垂直部の上辺部７から後方向に水平面部８を隆起形成し、この水平面部の他上辺部９からは下方向に緩く曲折した傾斜垂直部１０の下辺部１１から水平に底辺面部１２を形成する。
【００１７】
また、前記底辺面部３には複数の通口４・・を設け、具材内部に溜まろうとする雨水等を排出するようにする。
【００１８】
前記水平の底辺面部１２には複数の通孔１３・・を設け、この底辺面部は屋根部材の野地板ｂに仮置きした後に螺子１４・・により固定するようにする。
【符号の説明】
【００１９】
１                          正垂直部
２                          曲折部
３                          斜設した底辺面部
４・・                      通口
５                          下辺部
６                          垂直部
７                          上辺部
８                          水平面部
９                          他上辺部
１０                        傾斜垂直部
１１                        下辺部
１２                        水平の底辺面部
１３・・                    通孔
１４・・                    螺子
ａ                          屋根材
ｂ                          野地板
【図１】
2020176430.tif 000003
【図２】
2020176430.tif 000004
【図３】
2020176430.tif 000005
【図４】
2020176430.tif 000006
【図５】
2020176430.tif 000007
【図６】
2020176430.tif 000008